(57)【要約】【課題】オープン階段とエレベータとを組み合わせることができるとともに、全体的な構造強度および安定性を十分に高くすることができるオープン階段装置を提供する。【解決手段】四角形の踊り場１６と、下端が住宅の１階の床面１ＦＬに固定され、上端が踊り場の前端部に固定された下側階段部材１８と、下端が踊り場の一側部に固定され、上端が住宅の２階の所定箇所１９に固定された上側階段部材２０とを有する踊り場付きオープン階段１２と；内部に昇降路３８が形成された構造体４０の昇降路内に昇降かご４２が配設されたエレベータ１４とを具備し、エレベータは踊り場の後方に配置されているとともに、上記構造体に踊り場の後端部が固定されているオープン階段装置１０とする。【選択図】図１
2010059695.tif 000002
【特許請求の範囲】
【請求項１】
四角形の踊り場と、下端が住宅の１階の床面に固定され、上端が前記踊り場の前端部に固定された下側階段部材と、下端が前記踊り場の一側部に固定され、上端が住宅の２階の所定箇所に固定された上側階段部材とを有する踊り場付きオープン階段と、
内部に昇降路が形成された構造体の前記昇降路内に昇降かごが配設されたエレベータとを具備し、
前記エレベータは前記踊り場の後方に配置されているとともに、前記構造体に前記踊り場の後端部が固定されていることを特徴とするオープン階段装置。
【請求項２】
四角形の踊り場と、下端が住宅の１階の床面に固定され、上端が前記踊り場の一側部に固定された下側階段部材と、下端が前記踊り場の一側部に固定され、上端が住宅の２階の所定箇所に固定された上側階段部材とを有する踊り場付きオープン階段と、
内部に昇降路が形成された構造体の前記昇降路内に昇降かごが配設されたエレベータとを具備し、
前記エレベータは前記踊り場の後方に配置されているとともに、前記構造体に前記踊り場の後端部が固定されていることを特徴とするオープン階段装置。
【発明の詳細な説明】
【技術分野】
【０００１】
本発明は、オープン階段とエレベータとを組み合わせたオープン階段装置に関する。
【背景技術】
【０００２】
従来、階段とエレベータとを組み合わせた階段装置として、特許文献１のものが提案されている。特許文献１の階段装置は、エレベータを構成する昇降路と、この昇降路の外周に沿って設けられる廻り階段とを有するものである。
【０００３】
一方、建物における下階と上階との間を昇降するための階段の一種として、踏み板が壁パネルから分離されたオープン階段が知られており、このようなオープン階段は、例えば、吹き抜け部における１階と２階との間に設置される（例えば、特許文献２参照）。
【０００４】
【特許文献１】特開平１１−３４３７１４号公報
【特許文献２】特許第３７３２８４６号公報
【発明の開示】
【発明が解決しようとする課題】
【０００５】
しかし、特許文献１の階段装置は、踏み板が壁パネルに固定されている通常の階段とエレベータとを組み合わせたもので、オープン階段とエレベータとを組み合わせることはできなかった。
【０００６】
また、特許文献１の階段装置は、エレベータの外周に沿って廻り階段が設けられているが、エレベータと廻り階段とは強固に固定されておらず、そのため全体的な構造強度および安定性の点で不十分であった。
【０００７】
本発明は、上述した事情に鑑みてなされたもので、オープン階段とエレベータとを組み合わせることができるとともに、全体的な構造強度および安定性を十分に高くすることができるオープン階段装置を提供することを目的とする。
【課題を解決するための手段】
【０００８】
本発明は、前記目的を達成するため、下記（１）、（２）のオープン階段装置を提供する。
（１）四角形の踊り場と、下端が住宅の１階の床面に固定され、上端が前記踊り場の前端部に固定された下側階段部材と、下端が前記踊り場の一側部に固定され、上端が住宅の２階の所定箇所に固定された上側階段部材とを有する踊り場付きオープン階段と、
内部に昇降路が形成された構造体の前記昇降路内に昇降かごが配設されたエレベータとを具備し、
前記エレベータは前記踊り場の後方に配置されているとともに、前記構造体に前記踊り場の後端部が固定されていることを特徴とするオープン階段装置。
（２）四角形の踊り場と、下端が住宅の１階の床面に固定され、上端が前記踊り場の一側部に固定された下側階段部材と、下端が前記踊り場の一側部に固定され、上端が住宅の２階の所定箇所に固定された上側階段部材とを有する踊り場付きオープン階段と、
内部に昇降路が形成された構造体の前記昇降路内に昇降かごが配設されたエレベータとを具備し、
前記エレベータは前記踊り場の後方に配置されているとともに、前記構造体に前記踊り場の後端部が固定されていることを特徴とするオープン階段装置。
【０００９】
（１）のオープン階段装置は、オープン階段として、上から見たときに踊り場において下側階段部材と上側階段部材とが直角をなしている踊り場付きオープン階段（Ｌ字型タイプ）を用いたものである。（２）のオープン階段装置は、オープン階段として、上から見たときに踊り場において下側部材と上側部材の向きが逆になるように折り返す構造の踊り場付きオープン階段（Ｕ字型タイプ）を用いたものである。
【００１０】
本発明のオープン階段装置は、オープン階段として、階段の途中に踊り場を有する踊り場付きオープン階段を用いるとともに、エレベータの構造体に上記踊り場の後端部を固定することにより、オープン階段とエレベータとを組み合わせることができる。また、面積の大きい踊り場をエレベータの構造体に固定することにより、全体的な構造強度および安定性を十分に高くすることができる。
【発明の効果】
【００１１】
本発明のオープン階段装置は、オープン階段とエレベータとを組み合わせることができるとともに、全体的な構造強度および安定性を十分に高くすることができる。
【発明を実施するための最良の形態】
【００１２】
以下、本発明の実施の形態を図面を参照して説明するが、本発明は下記例に限定されるものではない。図１〜図４は、本発明に係るオープン階段装置の一実施形態を示すものであり、図１は２階平面図、図２は１階平面図、図３は正面図、図４は側面図である。本例のオープン階段装置１０は、踊り場付きオープン階段１２と、エレベータ１４とを具備する。
【００１３】
踊り場付きオープン階段１２は、四角形の踊り場１６と、下端が住宅の１階の床面１ＦＬにボルトとナットなどの適宜取付具によって固定され、上端が踊り場１６の後述する踊り場基台３４の前端部の下面にボルトとナットなどの適宜取付具によって固定された下側階段部材１８と、下端が踊り場１６の一側部の上面にボルトとナットなどの適宜取付具によって固定され、上端が住宅の２階の床部の側面１９にボルトとナットなどの適宜取付具によって固定された上側階段部材２０とを有する。
【００１４】
下側階段部材１８および上側階段部材２０は、一対の平行な桁本体２２、２４に複数の踏板２６、２８が取付部材３０、３２により固定されたものである。取付部材３０、３２は、桁本体２２、２４に踏板２６、２８を取り付けることができるものであればどのような構成のものであってよい。
【００１５】
また、下側階段部材１８は、幅方向一端側を壁Ｗに沿わせて配置され、幅方向他端側には手摺り３３（図１参照）が取り付けられている。上側階段部材２０は、幅方向一端側をエレベータ１４の構造体４０（後述）に沿わせて配置され、幅方向他端側には手摺り（図示せず）が取り付けられている。
【００１６】
下側階段部材１８および上側階段部材２０において、桁本体２２、２４および取付部材３０、３２はアルミニウム合金により形成され、踏板２６、２８は木質の板材により形成されているが、これら各部材の材質は限定されるものではない。
【００１７】
踊り場１６は、四角枠体の内側に梁部が形成された踊り場基台３４と、踊り場基台３４の上面に固定された踊り場踏板３６とからなる。踊り場１６において、踊り場基台３４はアルミニウム合金により形成され、踊り場踏板３６は木質の板材により形成されているが、これら各部材の材質は限定されるものではない。
【００１８】
エレベータ１４は、いわゆるホームエレベータであり、内部に昇降路３８が形成された略四角筒状の構造体４０の上記昇降路３８内に昇降かご４２が昇降可能に配設されたものである。エレベータ１４は、踊り場１６の後方に配置されているとともに、構造体４０に踊り場１６の後端部がボルトとナットなどの適宜取付具によって固定されている。エレベータ１４の昇降機構に限定はなく、ワイヤロープを主索に用いて昇降かご４２を昇降させるロープ式、油圧ジャッキにより昇降かご４２を昇降させる油圧式などの適宜機構を採用することができる。エレベータ１４において、構造体４０の本体および昇降かご４２はアルミニウム合金により形成され、構造体４０の開閉扉はアルミニウム合金からなる枠体内にアクリル樹脂板を装着することにより形成されているが、これら各部材の材質は限定されるものではない。
【００１９】
本例のオープン階段装置１０では、住宅の２階の床面２ＦＬにおいて、オープン階段１２の出入口用床面４４と、エレベータ１４の乗降ロビー用床面４６とが並列に配置されている。エレベータの乗降ロビーとは、エレベータに乗降するための待合スペースを言う。
【００２０】
なお、本発明は、前述した実施形態に限定されるものではなく、種々の変更が可能である。例えば、本例では上から見たときに踊り場において下側階段部材と上側階段部材とが直角をなしているＬ字型タイプの踊り場付きオープン階段を用いたが、上から見たときに踊り場において下側部材と上側部材の向きが逆になるように折り返す構造のＵ字型タイプの踊り場付きオープン階段を用いてもよい。
【図面の簡単な説明】
【００２１】
【図１】本発明に係るオープン階段装置の一実施形態を示す２階平面図である。
【図２】図１のオープン階段装置の１階平面図である。
【図３】図１のオープン階段装置の正面図である。
【図４】図１のオープン階段装置の側面図である。
【符号の説明】
【００２２】
１０  オープン階段装置
１２  踊り場付きオープン階段
１４  エレベータ
１６  踊り場
１８  下側階段部材
２０  上側階段部材
３８  昇降路
４０  構造体
４２  昇降かご
４４  オープン階段の出入口用床面
４６  エレベータの乗降ロビー用床面
１ＦＬ  １階の床面
２ＦＬ  ２階の床面
【図１】
2010059695.tif 000003
【図２】
2010059695.tif 000004
【図３】
2010059695.tif 000005
【図４】
2010059695.tif 000006